(57)【要約】【課題】外周壁が外部からの衝撃によって曲げられ難いものとし、内周壁の内方に収容した容器が破損し難い包装用箱を提供する。【解決手段】右側板１、前板２、左側板３、後板４、内第一右側板５ａ、内前板６、内左側板７、内第一後板８ａ、内第二右側板５ｂ、糊代片９ａを順次設け、前記右側板１、左側板３には、それぞれ上端に上内蓋１０ａ、１０ｂを設け、それぞれ下端に補助下蓋１１ａ、１１ｂを設け、前記前板２には、下端に下蓋１２ａを設け、この下蓋１２ａに糊代片１３ａを設け、前記後板４には、上端に上蓋１４を設け、この上蓋１４に差込片１５を設け、下端に下蓋１２ｂを設け、この下蓋１２ｂに糊代片１３ｂを設け、前記内左側板７には、略中央部に支持片１６および糊代片１７を設け、前記内第一後板８ａには、支持片１８および糊代片１９を有した内第二後板８ｂを設け、前記内第二右側板５ｂには、糊代片９ａに連接した糊代片９ｂを設けた。【選択図】図２
2012218751.tif 000002
【特許請求の範囲】
【請求項１】
右側板（１）、前板（２）、左側板（３）、後板（４）、内第一右側板（５ａ）、内前板（６）、内左側板（７）、内第一後板（８ａ）、内第二右側板（５ｂ）、糊代片（９ａ）を折線（ａ〜ｉ）を介して順次設け、
前記右側板（１）、左側板（３）には、それぞれ上端に折線（ｊ、ｋ）を介して上内蓋（１０ａ、１０ｂ）を設け、それぞれ下端に折線（ｌ、ｍ）を介して補助下蓋（１１ａ、１１ｂ）を設け、
前記前板（２）には、下端に折線（ｎ）を介して下蓋（１２ａ）を設けると共に、この下蓋（１２ａ）に折線（ｏ）を介して糊代片（１３ａ）を設け、
前記後板（４）には、上端に折線（ｐ）を介して上蓋（１４）を設けると共に、この上蓋（１４）に折線（ｑ）を介して差込片（１５）を設け、下端に折線（ｒ）を介して下蓋（１２ｂ）を設けると共に、この下蓋（１２ｂ）に折線（ｓ）を介して糊代片（１３ｂ）を設け、
前記内左側板（７）には、略中央部に略コ字状の切込線（Ａ）を切込んで、支持片（１６）および糊代片（１７）を設け、
前記内第一後板（８ａ）には、中間部を横切る二本の切込線（Ｂ、Ｃ）を平行に切込んで、支持片（１８）および糊代片（１９）を有した内第二後板（８ｂ）を設け、
前記内第二右側板（５ｂ）には、折線（ｉ）から略コ字状の切線（Ｅ）を切込んで、糊代片（９ａ）に連接した糊代片（９ｂ）を設け、
前記各折線にしたがって各構成板を折り曲げ、所定個所を貼り着けることにより、前記右側板（１）、前板（２）、左側板（３）、後板（４）から外周壁（Ｗｏ）を形成すると共に、この外周壁（Ｗｏ）の内側に、前記内第二右側板（５ｂ）、内前板（６）、内左側板（７）、内第二後板（８ｂ）から内周壁（Ｗｉ）を形成したものとしたことを特徴とする包装用箱。
【請求項２】
前記内左側板（７）には、前記切込線（Ａ）の両基端を結ぶ折線（ｔ）を介して前記支持片（１６）を設け、さらに折線（ｔ）と平行に所定間隔をおいて形成した折線（ｕ）を介して前記糊代片（１７）を設けたことを特徴とする請求項１記載の包装用箱。
【請求項３】
前記内第一後板（８ａ）には、折線（ｇ）から折線（ｈ）に向け、この折線（ｈ）を横切って内第二右側板（５ｂ）に掛けて、前記切込線（Ｂ、Ｃ）の終端を結ぶ折線（ｖ）と前記折線（ｇ）の間に内第二後板（８ｂ）を設け、内第二後板（８ｂ）には、前記折線（ｇ）寄りに、この折線（ｇ）と平行に所定間隔をおいて折線（ｗ）を形成し、前記折線（ｇ）と折線（ｗ）の間を前記支持片（１８）とし、さらに前記折線（ｗ）から内第二後板（８ｂ）側に略コ字状の切込線（Ｄ）を切込んで前記糊代片（１９）を設けたことを特徴とする請求項１または２記載の包装用箱。
【発明の詳細な説明】
【技術分野】
【０００１】
この発明は、食品、飲料、医薬品などを収容した瓶などの破損し易い容器等を保護するための内周壁を設けた包装用箱に関するものである。
【背景技術】
【０００２】
従来、この種の包装用箱としては、展開した状態では、一側面板２１の一端縁に、背面板２２、他側面板２３、正面板２４、裏一側面板２５、内方背面板２６、内方他側面板２７、内方正面板２８、内方一側面板２９および糊代３０が順に折り目を介して連設されており、組み立てた状態では、図１１、１２に示したように、一側面板２１、背面板２２、他側面板２３、正面板２４、裏一側面板２５から形成される外周壁Ｗｏの内側に、内方背面板２６、内方他側面板２７、内方正面板２８、内方一側面板２９から形成される内周壁Ｗｉが設けられたものが存在する（特許文献１）。
【０００３】
そして、この従来の包装用箱は、緩衝効果が大きく、瓶などの容器の破損を確実に防止することができ、かつ安価に作製することができるとしている。
【先行技術文献】
【特許文献】
【０００４】
【特許文献１】特開２００３−８１２５６号公報
【発明の概要】
【発明が解決しようとする課題】
【０００５】
しかしながら、上記従来の包装用箱では、外周壁Ｗｏおよび内周壁Ｗｉを形成する各板は、ボール紙などの厚紙で形成されているため、特に外周壁Ｗｏは外部からの衝撃によって曲げられ易い。図１２に示したように、外周壁Ｗｏの一側面板２１は、裏一側面板２５によって二重になっているため、未だ曲げられ難いが、外周壁Ｗｏの背面板２２、他側面板２３、正面板２４は、一重であり、それぞれが対向する内方背面２６、内方他側面板２７、内方正面板２８にもまったく支持されていないので（他側面板２３は、その一側端寄りが内方他側面板２７に支持されているが、一側端寄りであるため曲げ防止にはあまり役立っていない）、図１３に示したように、それぞれが、内方背面２６、内方他側面板２７、内方正面板２８に当たるまで曲げられてしまうことがある。
【０００６】
すなわち、上記従来の包装用箱では、外周壁Ｗｏの一側面板２１を除く、背面板２２、他側面板２３、正面板２４が、外部からの衝撃によって曲げられ易いので、外周壁Ｗｏが強度性に欠け、内周壁Ｗｉの内方に収容した容器が破損し易いという課題を有していた。
【０００７】
そこで、この発明は、上記従来の課題を解決するためになされたものであり、外周壁が外部からの衝撃によって曲げられ難いものとし、内周壁の内方に収容した容器が破損し難いものとし、しかも自動製函機（サックマシン）で簡単に作製することのできる包装用箱を提供することを目的としている。
【課題を解決するための手段】
【０００８】
この発明の包装用箱は、右側板１、前板２、左側板３、後板４、内第一右側板５ａ、内前板６、内左側板７、内第一後板８ａ、内第二右側板５ｂ、糊代片９ａを折線ａ〜ｉを介して順次設け、前記右側板１、左側板３には、それぞれ上端に折線ｊ、ｋを介して上内蓋１０ａ、１０ｂを設け、それぞれ下端に折線ｌ、ｍを介して補助下蓋１１ａ、１１ｂを設け、前記前板２には、下端に折線ｎを介して下蓋１２ａを設けると共に、この下蓋１２ａに折線ｏを介して糊代片１３ａを設け、前記後板４には、上端に折線ｐを介して上蓋１４を設けると共に、この上蓋１４に折線ｑを介して差込片１５を設け、下端に折線ｒを介して下蓋１２ｂを設けると共に、この下蓋１２ｂに折線ｓを介して糊代片１３ｂを設け、前記内左側板７には、略中央部に略コ字状の切込線Ａを切込んで、支持片１６および糊代片１７を設け、前記内第一後板８ａには、中間部を横切る二本の切込線Ｂ、Ｃを平行に切込んで、支持片１８および糊代片１９を有した内第二後板８ｂを設け、前記内第二右側板５ｂには、折線ｉから略コ字状の切線Ｅを切込んで、糊代片９ａに連接した糊代片９ｂを設け、前記各折線にしたがって各構成板を折り曲げ、所定個所を貼り着けることにより、前記右側板１、前板２、左側板３、後板４から外周壁Ｗｏを形成すると共に、この外周壁Ｗｏの内側に、前記内第二右側板５ｂ、内前板６、内左側板７、内第二後板８ｂから内周壁Ｗｉを形成したものとしている。
【０００９】
さらに、この発明の包装用箱では、前記内左側板７には、前記切込線Ａの両基端を結ぶ折線ｔを介して前記支持片１６を設け、さらに折線ｔと平行に所定間隔をおいて形成した折線ｕを介して前記糊代片１７を設けている。
【００１０】
また、この発明の包装用箱では、前記内第一後板８ａには、折線ｇから折線ｈに向け、この折線ｈを横切って内第二右側板５ｂに掛けて、前記切込線Ｂ、Ｃの終端を結ぶ折線ｖと前記折線ｇの間に内第二後板８ｂを設け、内第二後板８ｂには、前記折線ｇ寄りに、この折線ｇと平行に所定間隔をおいて折線ｗを形成し、前記折線ｇと折線ｗの間を前記支持片１８とし、さらに前記折線ｗから内第二後板８ｂ側に略コ字状の切込線Ｄを切込んで前記糊代片１９を設けている。
【発明の効果】
【００１１】
この発明の包装用箱は、外周壁が外部からの衝撃によって曲げられ難いものとなり、内周壁の内方に収容した容器も破損し難いものとなり、食品、飲料、医薬品などを収容した瓶などの破損し易い容器を保護するのに最適なものとなった。
【００１２】
さらに、この発明の包装用箱は、自動製函機（サックマシン）で作製できるので、量産化がし易いものとなった。
【図面の簡単な説明】
【００１３】
【図１】この発明の包装用箱の展開した状態を示す表面図である。
【図２】この発明の包装用箱の展開した状態を示す裏面図である。
【図３】この発明の包装用箱の内第一後板、内第二後板とその近辺を示す表面拡大図である。
【図４】この発明の包装用箱の内第一後板、内第二後板とその近辺を示す裏面拡大図である。
【図５】この発明の包装用箱を図２に示す状態から組み立てる順序を示す説明図である。
【図６】この発明の包装用箱を図５に示す状態から組み立てる順序を示す説明図である。
【図７】この発明の包装用箱を図６に示す状態から組み立てる順序を示す説明図である。
【図８】この発明の包装用箱を図７に示す状態から組み立てる順序を示す説明図である。
【図９】この発明の包装用箱を組み立てた状態の斜視図である。
【図１０】この発明の包装用箱の組み立てた状態のものを平面視した説明図である。
【図１１】従来の包装用箱を一部破断して示す斜視図である。
【図１２】従来の包装用箱を平面視した説明図である。
【図１３】従来の包装用箱の外面壁が内面壁側に曲がった状態を平面視した説明図である。
【発明を実施するための形態】
【００１４】
以下、この発明の包装用箱を実施するための形態を、図面に基づいて詳細に説明する。
【００１５】
図１はこの発明の包装用箱の展開した状態を示す表面図であり、図２はこの発明の包装用箱の展開した状態を示す裏面図である。
【００１６】
この発明の包装用箱１は、図２において、右側板１、前板２、左側板３、後板４、内第一右側板５ａ、内前板６、内左側板７、内第一後板８ａ、内第二右側板５ｂ、糊代片９ａを折線ａ〜ｉを介して横一方向に順次設けている。なお、右側板１、前板２、左側板３、後板４のそれぞれの幅は、略同一幅にしている。さらに、内第一右側板５ａ、内前板６、内左側板７、内第二右側板５ｂのそれぞれの幅は、略同一幅にしており、前記右側板１、前板２、左側板３、後板４のそれぞれの幅より小さくしている。また、内第一後板８ａの幅は、前記内第一右側板５ａ、内前板６、内左側板７、内第二右側板５ｂのそれぞれの幅より小さくしている。また、内第一右側板５ａ、内前板６、内左側板７、内第一後板８ａ、内第二右側板５ｂのそれぞれの縦方向の長さは、前記右側板１、前板２、左側板３、後板４のそれぞれの縦方向の長さより短くし、上げ底形態にしており、後に述べる組立時に、折り返した補助下蓋１１ａ、１１ｂ、下蓋１２ａ、１２ｂのそれぞれと交差しないようにしている。
【００１７】
前記右側板１、左側板３には、それぞれ上端に折線ｊ、ｋを介して上内蓋１０ａ、１０ｂを設け、それぞれ下端に折線ｌ、ｍを介して補助下蓋１１ａ、１１ｂを設けている。
【００１８】
前記前板２には、下端に折線ｎを介して下蓋１２ａを設けると共に、この下蓋１２ａに折線ｏを介して糊代片１３ａを設けている。
【００１９】
前記後板４には、上端に折線ｐを介して上蓋１４を設けると共に、この上蓋１４に折線ｑを介して差込片１５を設け、下端に折線ｒを介して下蓋１２ｂを設けると共に、この下蓋１２ｂに折線ｓを介して糊代片１３ｂを設けている。
【００２０】
前記内左側板７には、略中央部に略コ字状の切込線Ａを切込んで、支持片１６および糊代片１７を設けている。すなわち、前記内左側板７には、前記切込線Ａの両基端を結ぶ折線ｔを介して支持片１６を設け、さらに折線ｔと平行に所定間隔をおいて形成した折線ｕを介して糊代片１７を設けている。
【００２１】
前記内第一後板８ａには、中間部を横切る二本の切込線Ｂ、Ｃを平行に切込んで、支持片１８および糊代片１９を有した内第二後板８ｂを設けている。すなわち、前記内第一後板８ａには、折線ｇから折線ｈに向け、この折線ｈを横切って内第二右側板５ｂに掛けて、前記中間部を横切る二本の切込線Ｂ、Ｃを平行に切込み、これら切込線Ｂ、Ｃの終端を結ぶ折線ｖと前記折線ｇの間に内第二後板８ｂを設け、内第二後板８ｂには、前記折線ｇ寄りに、この折線ｇと平行に所定間隔をおいて折線ｗを形成し、前記折線ｇと折線ｗの間を支持片１８とし、さらに前記折線ｗから内第二後板８ｂ側に略コ字状の切込線Ｄを切込んで糊代片１９を設けている。
【００２２】
前記内第二右側板５ｂには、折線ｉから略コ字状の切線Ｅを切込んで、糊代片９ａに連接した糊代片９ｂを設けている。
【００２３】
なお、図中の網かけで示した部分は貼着部Ｐとしている。すなわち、内第一右側板５ａの表面の後板４寄りの側端部、内左側板７の糊代片１７の表面部、内第一後板８ａの表面の内左側板７寄りの側端の上下部、下蓋１２ａ、１２ｂの糊代片１３ａ、１３ｂの裏面部、内第二後板８ｂの糊代片１９の裏面部、内第二右側板５ｂの糊代片９ｂの裏面部、内第二右側板５ｂに隣接して設けた糊代片９ａの裏面部には、それぞれ適正な糊を塗布するなどして貼着部Ｐとしている。
【００２４】
以上のように構成したこの発明の包装用箱は、前記各折線したがって各構成板を折り曲げ、各貼着部Ｐを貼り着けることにより、前記右側板１、前板２、左側板３、後板４から外周壁Ｗｏを形成すると共に、この外周壁Ｗｏの内側に、前記内第二右側板５ｂ、内前板６、内左側板７、内第二後板８ｂから内周壁Ｗｉを形成したものとしている。
【００２５】
次に、この発明の包装用箱の組み立て順序について、詳細に説明する。
【００２６】
先ず、図５に示したように、折線ｇにしたがって、内第一後板８ａ、内第二後板８ｂ、内第二右側板５ｂをそれぞれ内側に折り曲げて、内第一後板８ａと内第二後板８ｂを内左側板７に重ね合わせ、この内左側板７に糊代片１９の貼着部Ｐを貼り着けると共に、内第二右側板５ｂを内前板６に重ね合わせ、この内前板６に糊代片９ａ、９ｂの貼着部Ｐを貼り着ける。
【００２７】
続けて、図６に示したように、折線ｅにしたがって、前記した部分を内側に折り曲げて、後板４および内第一右側板５ａに重ね合わせ、この後板４に内第一後板８ａの表面の内左側板７寄りの側端の上下部の貼着部Ｐを貼り着ける。
【００２８】
そして、図７に示したように、折線ｌ、ｍ、ｎ、ｒにしたがって、補助下蓋１１ａ、１１ｂ、下蓋１２ａ、１２ｂをそれぞれ内側に折り曲げて、右側板１、前板２、左側板３、後板４にそれぞれ重ね合わせると共に、折線ｏ、ｓにしたがって、糊代片１３ａ、１３ｂを外側に折り曲げて、下蓋１２ａ、１２ｂにそれぞれ重ね合わせる。
【００２９】
最後に、図７に示した状態から、折線ｃにしたがって、前記した部分を内側に折り曲げて、前板２および左側板３に重ね合わせるのに少し遅らせて、折線ａにしたがって、右側板１を内側に折り曲げて、この右側板１の裏面を、前記折り曲げた部分の内第一右側板５ａの表面の貼着部Ｐに貼り着けると共に、補助下蓋１１ａ、１１ｂの表面を、下蓋１２ａ、１２ｂの糊代片１３ａ、１３ｂの裏面部の貼着部Ｐにそれぞれ貼り着け、図８に示した状態にする。
【００３０】
図８に示した状態では、この発明の包装用箱は、偏平状に折り畳まれたものとなっているので、輸送、保管などの際、場所をとらず、非常に便利なものとなる。
【００３１】
なお、この発明の包装用箱は、前記した順序で、各構成板１、２、３、４、５ａ、５ｂ６、７、８ａ、８ｂを折り曲げ、重ね合わせ、糊代片９ａ、９ｂ、１３ａ、１３ｂ、１７、１９を折り曲げ、貼り着けることにより、自動製函機（サックマシン）で作製できるものとなる。
次に、図８の状態において、この発明の包装用箱の左右方向から力を加えると、右側板１、前板２、左側板３、後板４がそれぞれ起き上がって外周壁Ｗｏが形成されると共に、内第二右側板５ｂ、内前板６、内左側板７、内第二後板８ｂもそれぞれ起き上がって内周壁Ｗｉが形成され、さらに補助下蓋１１ａ、１１ｂおよび下蓋１２ａ、１２ｂがそれぞれ起き上がって、互いに組み合わさって、箱底部が形成され、図９に示した状態となる。
【００３２】
前記図９の状態では、この発明の包装用箱の外周壁Ｗｏは、図１０にも示したように、右側板１が内第一右側板５ａと重なり合って二重になっており、左側板３が内左側板７の支持片１６で支持されており、後板４が内第一後板８ａと重なり合って二重になっているため、図１１、１２に示した従来の包装用箱の外周壁Ｗｏに比べ丈夫なものとなり、外部からの衝撃によって曲げられ難いものとなる。
【００３３】
したがって、この発明の包装用箱では、内周壁Ｗｉの内方に収容した容器も破損し難いものとなり、食品、飲料、医薬品などを収容した瓶などの破損し易い容器を保護するのに最適なものとなる。
【００３４】
さらに、この発明の包装用箱は、前記したように、各構成板１、２、３、４、５ａ、５ｂ６、７、８ａ、８ｂを折り曲げ、重ね合わせ、糊代片９ａ、９ｂ、１３ａ、１３ｂ、１７、１９を折り曲げ、貼り着けることにより、自動製函機（サックマシン）で作製できるものとなるので、量産化がし易いものとなる。
【符号の説明】
【００３５】
１  右側板
２  前板
３  左側板
４  後板
５ａ  内第一右側板
５ｂ  内第二右側板
６  内前板
７  内左側板
８ａ  内第一後板
８ｂ  内第二後板
９ａ  糊代片
９ｂ  糊代片
１０ａ  上内蓋
１０ｂ  上内蓋
１１ａ  補助下蓋
１１ｂ  補助下蓋
１２ａ  下蓋
１２ｂ  下蓋
１３ａ  糊代片
１３ｂ  糊代片
１４  上蓋
１５  差込片
１６  支持片
１７  糊代片
１８  支持片
１９  糊代片
ａ〜ｗ  折線
Ａ〜Ｅ  切込線
【図１】
2012218751.tif 000003
【図２】
2012218751.tif 000004
【図３】
2012218751.tif 000005
【図４】
2012218751.tif 000006
【図５】
2012218751.tif 000007
【図６】
2012218751.tif 000008
【図７】
2012218751.tif 000009
【図８】
2012218751.tif 000010
【図９】
2012218751.tif 000011
【図１０】
2012218751.tif 000012
【図１１】
2012218751.tif 000013
【図１２】
2012218751.tif 000014
【図１３】
2012218751.tif 000015